【手続補正書】
【提出日】平成15年6月18日(2003.6.18)
【手続補正１】
【補正対象書類名】明細書
【補正対象項目名】発明の名称
【補正方法】変更
【補正の内容】
【発明の名称】無線通信装置、無線通信システム及び無線通信装置の制御方法


【手続補正２】
【補正対象書類名】明細書
【補正対象項目名】特許請求の範囲
【補正方法】変更
【補正の内容】
【特許請求の範囲】
【請求項１】
無線チャネルの相互変調による影響に基づいて複数の無線チャネルを組み合わせた少なくとも１つのグループを記憶する記憶手段と、
前記グループに含まれる無線チャネルから１つの無線チャネルを選択する選択手段と、
前記選択手段により選択された無線チャネルを用いて通信するよう制御する通信制御手段とを有することを特徴とする無線通信装置。
【請求項２】
前記グループの選択を行なうグループ選択手段を有することを特徴とする請求項１記載の無線通信装置。
【請求項３】
前記無線通信装置は、無線チャネルのキャリアレベルを計測する計測手段を有し、
前記グループ選択手段は、前記計測手段の計測結果に基づいてグループ選択を行なうことを特徴とする請求項２記載の無線通信装置。
【請求項４】
前記無線通信装置は、前記計測手段による計測の開始を指示する指示手段を有し、
前記計測手段は、前記指示手段の指示に応じてキャリアレベルの計測を行なうことを特徴とする請求項３記載の無線通信装置。
【請求項５】
前記指示手段は、外部からの操作に基づいて計測開始の指示を行なうことを特徴とする請求項４記載の無線通信装置。
【請求項６】
前記指示手段は、所定時間毎に計測開始の指示を行なうことを特徴とする請求項４記載の無線通信装置。
【請求項７】
前記グループ選択手段は、少なくとも所定時間のキャリアレベルの平均に基づいてグループ選択を行なうことを特徴とする請求項３記載の無線通信装置。
【請求項８】
前記グループ選択手段は、少なくとも所定時間のキャリアレベルの最大値に基づいて無線チャネルのグループ選択を行なうことを特徴とする請求項３記載の無線通信装置。
【請求項９】
前記計測手段は、前記無線通信装置がアイドル状態にあるときにキャリアレベルの計測を行なうことを特徴とする請求項３記載の無線通信装置。
【請求項１０】
少なくとも１つの無線通信装置と、前記無線通信装置と無線チャネルで接続する無線制御装置とを有する無線通信システムにおいて、
前記無線制御装置は、無線チャネルの相互変調による影響に基づいて複数の無線チャネルを組み合わせた少なくとも１つのグループを記憶する記憶手段と、
前記グループを選択する選択手段と、
前記選択手段により選択されたグループ内の無線チャネルを用いて通信を行なうよう前記無線通信装置へ指示する指示手段と、
前記指示手段により指示した無線チャネルで前記無線通信装置と通信を行なう第１の通信手段とを有し、
前記無線通信端末は、前記無線制御装置からの指示に応じた無線チャネルを用いて通信を行なう第２の通信手段を有することを特徴とする無線通信システム。
【請求項１１】
無線チャネルの相互変調による影響に基づいて複数の無線チャネルを組み合わせた少なくとも１つのグループを記憶する工程と、
前記記憶されたグループに含まれる無線チャネルから１つの無線チャネルを選択する工程と、
前記選択された無線チャネルを用いて通信を行なうよう制御する工程とを有することを特徴とする無線通信装置の制御方法。
【手続補正３】
【補正対象書類名】明細書
【補正対象項目名】０００１
【補正方法】変更
【補正の内容】
【０００１】
【発明の属する技術分野】
本発明は、選択された無線チャネルを使用して通信を行う無線通信装置、無線通信システム及び無線通信装置の制御方法に関するものである。


【手続補正４】
【補正対象書類名】明細書
【補正対象項目名】０００６
【補正方法】変更
【補正の内容】
【０００６】
本発明の目的は、無線チャネルを選択する度に、他の無線通信装置の使用しているチャネルを考慮するという手間を省くことにある。


【手続補正５】
【補正対象書類名】明細書
【補正対象項目名】０００７
【補正方法】変更
【補正の内容】
【０００７】
また、本発明の他の目的は新たに無線通信機を導入したり、各種ＯＡ機器等、ノイズの発生するおそれのある機器の導入により、装置運用中の電波環境が設置時のそれに比べて大きく変化しても無線通信装置が使用する無線チャネルの変更を容易に行なうことにある。


【手続補正６】
【補正対象書類名】明細書
【補正対象項目名】０００８
【補正方法】変更
【補正の内容】
【０００８】
【課題を解決するための手段】
上記目的を達成するために、本発明の無線通信装置は、無線チャネルの相互変調による影響に基づいて複数の無線チャネルを組み合わせた少なくとも１つのグループを記憶する記憶手段と、前記グループに含まれる無線チャネルから１つの無線チャネルを選択する選択手段と、前記選択手段により選択された無線チャネルを用いて通信するよう制御する通信制御手段とを有することを特徴とする。


【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
また、本発明は、少なくとも１つの無線通信装置と、前記無線通信装置と無線チャネルで接続する無線制御装置とを有する無線通信システムにおいて、前記無線制御装置は、無線チャネルの相互変調による影響に基づいて複数の無線チャネルを組み合わせた少なくとも１つのグループを記憶する記憶手段と、前記グループを選択する選択手段と、前記選択手段により選択されたグループ内の無線チャネルを用いて通信を行なうよう前記無線通信装置へ指示する指示手段と、前記指示手段により指示した無線チャネルで前記無線通信装置と通信を行なう第１の通信手段とを有し、前記無線通信端末は、前記無線制御装置からの指示に応じた無線チャネルを用いて通信を行なう第２の通信手段を有することを特徴とする。


【手続補正１０】
【補正対象書類名】明細書
【補正対象項目名】００１２
【補正方法】変更
【補正の内容】
【００１２】
更に、本発明の無線通信装置の制御方法は、無線チャネルの相互変調による影響に基づいて複数の無線チャネルを組み合わせた少なくとも１つのグループを記憶する工程と、前記記憶されたグループに含まれる無線チャネルから１つの無線チャネルを選択する工程と、前記選択された無線チャネルを用いて通信を行なうよう制御する工程とを有することを特徴とする。


【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００８８
【補正方法】変更
【補正の内容】
【００８８】
【発明の効果】
以上説明したように、本発明によれば、無線チャネルの組み合わせをグループとして記憶しておき、そのグループ内から選択された無線チャネルを用いて通信するように制御することで、無線チャネルを選択する度に、他の無線通信装置の使用しているチャネルを考慮するという手間を省くことができる。